【手続補正書】
【提出日】平成19年11月16日(2007.11.16)
【手続補正１】
【補正対象書類名】明細書
【補正対象項目名】特許請求の範囲
【補正方法】変更
【補正の内容】
【特許請求の範囲】
【請求項１】
２つの入力オーディオ信号から少なくとも３つのオーディオ出力信号を導出する方法であって、
前記２つの入力オーディオ信号から４つのオーディオ信号を導出するステップであって、該４つのオーディオ信号は、２つのオーディオ信号に応答して２対のオーディオ信号を発生させる受動マトリックスで導出され、導出されたオーディオ信号の第１対は、第１軸上に位置する各方向を表し、導出されたオーディオ信号の第２対は第２軸上に位置する各方向を表し、前記第１及び第２軸は実質的に互いに直角をなすようになっていることを特徴とするステップと、
それぞれの第１及び第２対の中間オーディオ信号を発生させるために導出されたオーディオ信号の前記各対の各々を処理するステップであって、中間オーディオ信号の各対の該オーディオ信号の相対的振幅の大きさが同等になるように強制されることを特徴とするステップと、
該第１対の中間信号が発生する導出されたオーディオ信号の該対の軸上に位置する第１方向を表わす第１出力信号を発生させるステップであって、前記第１出力信号は、同一極性で、中間オーディオ信号の前記第２対の各々の少なくとも一成分を少なくとも結合することによって発生することを特徴とするステップと、
該第１対の中間信号が発生する導出されたオーディオ信号の該対の軸上に位置する第２方向を表わす第２出力信号を発生させるステップであって、前記第２出力信号は、逆極性で、中間オーディオ信号の前記第２対の各々の少なくとも一成分を少なくとも結合することによって発生することを特徴とするステップと、
該第２対の中間信号が発生する導出されたオーディオ信号の該対の軸上に位置する第１方向を表わす第３出力信号を発生させるステップであって、前記第３出力信号は、同一極性で、中間オーディオ信号の前記第１対の各々の少なくとも一成分を少なくとも結合することによって発生することを特徴とするステップと、
該第２対の中間信号が発生する導出されたオーディオ信号の前記対の軸上に位置する第２方向を表わす第４出力信号を発生させるステップであって、前記第３信号は、該第３出力信号が同一極性で結合されるか又は少なくとも同一極性で結合されることによって発生するとすれば、同一極性で、中間オーディオ信号の前記第１対の各々の少なくとも一成分と少なくとも結合されることを特徴とするステップと、
とから成るオーディオ出力信号導出方法。
【請求項２】
第１出力信号を発生させるステップには、中間オーディオ信号の前記第２対の各成分を、前記第１方向を表わす受動マトリックスと結合させるステップが含まれ、前記成分が前記受動マトリックスオーディオ信号に対抗する相殺信号を構成し、
第２出力信号を発生させるステップには、中間オーディオ信号の前記第２対の各成分を、前記第２方向を表わす受動マトリックスと結合させるステップが含まれ、前記成分が前記受動マトリックスオーディオ信号に対抗する相殺信号を構成し、
第３出力信号を発生させるステップには、中間オーディオ信号の前記第１対の各成分を、前記第３方向を表わす受動マトリックスと結合させるステップが含まれ、前記成分が前記受動マトリックスオーディオ信号に対抗する相殺信号を構成し、
選択的に第４出力信号を発生させるステップには、中間オーディオ信号の前記第１対の各成分を、前記第４方向を表わす受動マトリックスと結合させるステップが含まれ、前記成分が前記受動マトリックスオーディオ信号に対抗する相殺信号を構成する、
ことを特徴とする請求項１の方法。
【請求項３】
前記方法には、中間オーディオ信号の該それぞれの対の該相対的振幅を制御するのに用いる中間オーディオ信号の各対をフィードバックするステップが含まれることを特徴とする、請求項１又は２の方法。
【請求項４】
２つの入力オーディオ信号から、各々が方向と関連した少なくとも３つのオーディオ信号を導出する方法であって、
前記２つの入力オーディオ信号に応答して、受動マトリックスで、２対の受動マトリックスオーディオ信号を含む複数の受動マトリックス信号を発生させるステップであって、第１対の受動マトリックス信号は第１軸上に位置する方向を表し、第２対の受動マトリックス信号は第２軸上に位置する方向を表し、前記第１及び第２軸が実質的に互いに直角をなすことを特徴とするステップと、
中間オーディオ信号のそれぞれの第１及び第２対を発生させるために受動マトリックスオーディオ信号の前記対の各々を処理するステップであって、中間オーディオ信号各対の該オーディオ信号の相対的振幅の大きさが同等になるように強制されることを特徴とするステップと、
中間オーディオ信号の前記対から複数の相殺信号を導出するステップと、
少なくとも３つの受動マトリックスオーディオ信号の各々を前記複数の相殺信号の２つ又はそれ以上と結合させることによって少なくとも３つの出力信号を発生させるステップであって、該相殺信号は、前記入力オーディオ信号が前記受動マトリックスオーディオ信号によって表される方向以外の方向と関連する信号を表す時、該受動マトリックスオーディオ信号が該相殺信号によって実質的に相殺されるように、各受動マトリックスオーディオ信号に対抗することを特徴とするステップと、
から成るオーディオ信号導出方法。
【請求項５】
前記処理には、中間オーディオ信号の各対の相対的振幅を制御するのに用いる中間オーディオ信号の各対をフィードバックするステップが含まれることを特徴とする、請求項４の方法。
【請求項６】
前記処理には、受動マトリックスオーディオ信号の前記２対の各受動マトリックス信号をそれぞれの可変利得回路に加えるステップが含まれ、各回路は、減算結合器と結合した、利得ｇをもつ、電圧制御されたアンプ（ＶＣＡ）を含み、結果として生じる可変利得回路利得は（１−ｇ）でありかつ前記相殺信号は前記電圧制御されたアンプから取られることを特徴とする、請求項５の方法。
【請求項７】
受動マトリックスマトリックスオーディオ信号の各対と関連した該可変利得回路の利得は、該可変利得回路の利得を制御する制御利得を発生させる大きさ比較器に、各対の該それぞれの可変利得回路の出力を加えることによって制御されることを特徴とする、請求項６の方法。
【請求項８】
各対の該それぞれの可変利得回路の該出力は、整流器を介して大きさ比較器に加えられ、該整流器はそれらの入力の対数に比例する信号を与え、該比較器は無限利得をもち、該ＶＣＡのｄＢ利得はそれらの制御電圧の線形関数であることを特徴とする、請求項７の方法。
【請求項９】
受動マトリックスオーディオ信号の各対と関連した該可変利得回路を制御する該２つの制御信号から１つ以上の追加の制御信号を導出するステップであって、前記１つ以上の追加の制御信号は、１つ又は両制御信号を改変しかつ改変されていない制御信号及び改変された制御信号又は２つの改変されていない制御信号のより小さいもの又はより大きいものを発生させることによって、前記１つ以上の追加の制御信号がそれぞれ得られることを特徴とするステップをさらに含む、請求項７の方法。
【請求項１０】
該それぞれの信号を極性転換、振幅相殺、振幅尺度化及び/又は非線形処理することによって前記制御信号の１つ又は両方が改変されることを特徴とする、請求項９の方法。
【請求項１１】
前記複数の相殺信号の結合されたもの又は２つの受動マトリックス信号の結合されたものを入力として受信する１つ以上の追加の可変利得回路であって、前記１つ以上の追加の制御信号は、前記入力信号が前記第１及び第２軸上に位置する該方向以外の方向を表わすとき該回路の利得が最大まで上昇するように、前記１つ以上の追加の可変利得回路のそれぞれを制御することを特徴とする可変利得回路を含み、
前記１つ以上の追加の制御信号のそれぞれ１つで前記１つ以上の追加の可変利得回路を制御することによって、１つ以上の追加の相殺信号を発生させるステップをさらに含むことを特徴とする、請求項９の方法。
【請求項１２】
少なくとも５つの受動マトリックスオーディオ信号の各々を、前記複数の相殺信号の２つ又はそれ以上及び前記１つ以上の追加の相殺信号と結合することによって少なくとも５つの出力信号が発生し、該相殺信号は、前記入力オーディオ信号が前記受動マトリックスオーディオ信号によって表わされる方向以外の方向に関連する信号を表わす時、該受動マトリックスオーディオ信号が該相殺信号によって実質的に相殺されるように、各受動マトリックスオーディオ信号に対抗することを特徴とする、請求項１１の方法。